【事件の表示】
　特願２０１６−１７８０号「遊技機」拒絶査定不服審判事件〔平成２９年７月１３日出願公開、特開２０１７−１２１３６５号〕について、次のとおり審決する。
【結　論】
　本件審判の請求は、成り立たない。
【理　由】
第１　手続の経緯
　本願は、平成２８年１月７日の出願であって、令和１年５月２０日付けで拒絶の理由が通知され、同年７月２６日に意見書及び手続補正書が提出されたところ、同年１２月１２日付けで拒絶査定（以下「原査定」という。）がなされ、それに対して、令和２年３月１１日に拒絶査定不服審判の請求がなされると同時に手続補正がなされたものである。
第２　令和２年３月１１日付け手続補正についての補正の却下の決定
［補正の却下の決定の結論］
　令和２年３月１１日付け手続補正書についての補正（以下「本件補正」という。）を却下する。
［理由］
１　本件補正の内容
（１）本件補正は、特許請求の範囲についてするものであって、令和１年７月２６日付け手続補正により補正された本件補正前の請求項１に、
「　遊技球が入賞可能な入賞口と、
　前記入賞口への遊技球の入賞に応じて、遊技者に有利な状態へ移行するか否かの抽選を行う抽選手段と、
　前記抽選手段による抽選の結果を報知するための演出における既定の動作を行う複数の演出装置と、
　前記複数の演出装置の演出動作を制御する演出装置制御手段と、
　所定のエラーを報知するエラー報知手段と、
　を備え、
　前記所定のエラーには、２つ以上の前記演出装置を用いて報知される第一エラーと、１つの前記演出装置を用いて報知される第二エラーとがあり、
　前記演出装置制御手段は、前記エラー報知手段によって前記第一エラーが報知されることに基づいて、前記複数の演出装置のうち前記第一エラーの報知に用いられていない少なくとも１つの演出装置の所定の動作を抑制すること
　を特徴とする遊技機。」とあったものを、
「　遊技球が入賞可能な入賞口と、
　前記入賞口への遊技球の入賞に応じて、遊技者に有利な状態へ移行するか否かの抽選を行う抽選手段と、
　前記抽選手段による抽選の結果を報知するための演出における既定の動作を行う複数の演出装置と、
　前記複数の演出装置の演出動作を制御する演出装置制御手段と、
　所定のエラーを報知するエラー報知手段と、
　を備え、
　前記所定のエラーには、２つ以上の前記演出装置を用いて報知される第一エラーと、１つの前記演出装置を用いて報知される第二エラーとがあり、
　前記演出装置制御手段は、前記エラー報知手段によって前記第一エラーが報知されることに基づいて、前記複数の演出装置のうち前記第一エラーの報知に用いられていない少なくとも１つの演出装置の所定の動作を
消費電流が上限値を超えないように
　を特徴とする遊技機。」とする補正を含むものである（下線は合議体が付した。以下同様。）。
（２）本件補正後の請求項１に係る上記（１）の補正は、次の補正事項からなる。
　本件補正前の請求項１に係る発明を特定するために必要な事項である「前記演出装置制御手段は、前記エラー報知手段によって前記第一エラーが報知されることに基づいて、前記複数の演出装置のうち前記第一エラーの報知に用いられていない少なくとも１つの演出装置の所定の動作を抑制すること」との記載を「前記演出装置制御手段は、前記エラー報知手段によって前記第一エラーが報知されることに基づいて、前記複数の演出装置のうち前記第一エラーの報知に用いられていない少なくとも１つの演出装置の所定の動作を消費電流が上限値を超えないように抑制すること」とする補正。
２　請求人の主張する補正の根拠
　請求人は、審判請求書の請求の理由において、以下のように補正の根拠を主張している。
「（１）補正の根拠及び本願発明の説明
　本書と同時に提出した手続補正書により特許請求の範囲の請求項１を補正して「前記演出装置制御手段は、前記エラー報知手段によって前記第一エラーが報知されることに基づいて、前記複数の演出装置のうち前記第一エラーの報知に用いられていない少なくとも１つの演出装置の所定の動作を
消費電流が上限値を超えないように
３　新規事項の追加
（１）上記１（２）の補正に係る本件補正は、「少なくとも１つの演出装置の所定の動作を抑制すること」に関して、「少なくとも１つの演出装置の所定の動作を消費電流が上限値を超えないように抑制すること」としたものである。
　しかしながら、本件補正後の請求項１の「前記演出装置制御手段は、前記エラー報知手段によって前記第一エラーが報知されることに基づいて、前記複数の演出装置のうち前記第一エラーの報知に用いられていない少なくとも１つの演出装置の所定の動作を消費電流が上限値を超えないように抑制すること」という記載（以下「記載事項」という。）は、本願の願書に最初に添付した明細書、特許請求の範囲又は図面（以下「当初明細書等」という。）に記載されていない。
（２）当初明細書等の記載
　請求人が補正の根拠とする、【０３７０】、【０４７７】には、以下の事項が記載されている。
ア「【０３７０】
　（エラー報知演出の一例） 次に、エラー報知演出について説明する。エラー報知演出は、演出表示部２００ａ、枠部照明装置２４０および音声出力装置２０６といった演出装置の動作によって遊技機１００に各種エラーや異常が発生したことを報知する演出である。エラー報知演出は、主制御基板３００から副制御基板３３０にエラーコマンドが送信されたことに基づいて、サブＣＰＵ３３０ａの制御により演出表示部２００ａ、演出照明装置２０４、枠部照明装置２４０、音声出力装置２０６等の複数の演出装置において実行される。エラー報知演出は、各種エラーや異常の発生に伴い、変動演出中や大当たり演出中においても実行され得る。詳しくは後述するが、変動演出や大当たり演出における複数の演出装置の動作に加えて、枠部照明装置２４０の点灯動作等が行われる。このため、変動演出中や大当たり演出中にエラー報知演出が実行される場合、遊技機１００での消費電流が増大し、電源が供給可能な電流量の上限値を超過する事態が発生し、これにより、例えば電気的に駆動する部材の可動不良や電源断が生じるおそれがある。したがって、
本実施形態による遊技機１００では、消費電流が上限値を超過するのを回避するため、エラー報知演出を実行する場合に、変動演出や大当たり演出に用いられる複数の演出装置のうち少なくとも１つの演出装置の動作が抑制される場合がある。遊技機１００は、エラー報知演出の実行時において複数の演出装置のうち少なくとも１つの演出装置の動作を抑制することで、消費電流が増大するのを防止し、電気的に駆動する部材の可動不良や電源断が生じるおそれを低減することができる。
イ「【０４７７】
　このように、
本実施形態による遊技機１００では、不正に関するエラーを報知するためのエラー報知演出が実行される場合に、複数の演出装置のうち演出操作装置２０８の動作を抑制する。具体的には、演出操作装置２０８におけるボタン振動演出の実行を禁止する。これにより、遊技機１００は、消費電流の増大を防止して消費電流が上限値を超えることを回避して、電気的に駆動する部材の可動不良や電源断が生じるおそれを低減しながら適切なエラー報知を行うことができる。
（３）上記記載事項に対応する記載として、当初明細書等には、【０３７０】に「本実施形態による遊技機１００では、消費電流が上限値を超過するのを回避するため、エラー報知演出を実行する場合に、変動演出や大当たり演出に用いられる複数の演出装置のうち少なくとも１つの演出装置の動作が抑制される場合がある。遊技機１００は、エラー報知演出の実行時において複数の演出装置のうち少なくとも１つの演出装置の動作を抑制することで、消費電流が増大するのを防止し、電気的に駆動する部材の可動不良や電源断が生じるおそれを低減することができる。」、【０４７７】に「本実施形態による遊技機１００では、不正に関するエラーを報知するためのエラー報知演出が実行される場合に、複数の演出装置のうち演出操作装置２０８の動作を抑制する。具体的には、演出操作装置２０８におけるボタン振動演出の実行を禁止する。これにより、遊技機１００は、消費電流の増大を防止して消費電流が上限値を超えることを回避して、電気的に駆動する部材の可動不良や電源断が生じるおそれを低減しながら適切なエラー報知を行うことができる。」と記載されている。
　これらの記載からみて、当初明細書等には、「消費電流が上限値を超えないように」抑制するための構成として、演出操作装置２０８におけるボタン振動演出の実行を禁止することが記載されているといえる。
　一方、上記記載事項において「消費電流が上限値を超えないように」することは、その字義どおり、実際の遊技機の消費電流が所定の上限値を必ず超えないようにする構成を含むと解釈することが相当であるところ、実際の遊技機の消費電流が、所定の上限値を必ず超えないようにするためには、第一エラーが報知されるときに必要となる遊技機の消費電流の合計値と所定の上限値とを比較してその大小関係を判定する必要があることは明らかであるから、上記記載事項は、遊技機の設計段階、もしくは、遊技機の動作中における第一エラーを報知するタイミングで、遊技機の消費電流の合計値と所定の上限値とを比較して、抑制する演出装置や、抑制する演出装置の動作、抑制の態様（禁止、強度の調整等）等を決定して制御するような構成を含むものであると認められる。
　しかしながら、このような構成は、当初明細書等の【０３７０】、【０４７７】に記載されているとも、示唆されているとも認められない。また、当初明細書等の他の箇所にも、記載ないし示唆されているとは認められない。
　してみると、「消費電流が上限値を超えないように」を追加する補正は、当初明細書等のすべての記載を総合することにより導かれる技術的事項との関係において、新たな技術的事項を導入しないものでない。
　したがって、上記１（２）とする補正を含む本件補正は、当初明細書等のすべての記載を総合することにより導かれる技術的事項との関係において、新たな技術的事項を導入しないものでないので、当初明細書等に記載した事項の範囲内でなされたものではない。
（４）本件補正は、以上のとおり、当初明細書等に記載した事項の範囲内でなされたものではないから、特許法第１７条の２第３項に規定する要件を満たしていない。
４　本件補正の目的
（１）上記１（２）の補正は、当初明細書等の【０３７０】、【０４７７】等の記載に基づいて、本件補正前の請求項１において記載されていた「演出装置制御手段」が「抑制する」「前記第一エラーの報知に用いられていない少なくとも１つの演出装置の所定の動作」について、「消費電流が上限値を超えないように」「抑制する」ものに限定するものである。
（２）本件補正後の請求項１に係る本件補正は、上記（１）のとおり、本件補正前の請求項１に係る発明を特定するために必要な事項を限定する補正である。
　そこで、請求項１に係る本件補正が特許法第１７条の２第５項第２号に掲げる特許請求の範囲の減縮を目的とするものであるとして、本件補正後の請求項１に係る発明（以下、「本願補正発明」という。）が、特許出願の際独立して特許を受けることができるものであるか（特許法第１７条の２第６項において準用する同法第１２６条第７項の規定に適合するか）について以下検討する。
５　独立特許要件について
（１）本願補正発明
　本願補正発明を再掲すると、次のとおりのものである。なお、記号ＡないしＨは、分説するため合議体が付した。
「Ａ　遊技球が入賞可能な入賞口と、
Ｂ　前記入賞口への遊技球の入賞に応じて、遊技者に有利な状態へ移行するか否かの抽選を行う抽選手段と、
Ｃ　前記抽選手段による抽選の結果を報知するための演出における既定の動作を行う複数の演出装置と、
Ｄ　前記複数の演出装置の演出動作を制御する演出装置制御手段と、
Ｅ　所定のエラーを報知するエラー報知手段と、
　を備え、
Ｆ　前記所定のエラーには、２つ以上の前記演出装置を用いて報知される第一エラーと、１つの前記演出装置を用いて報知される第二エラーとがあり、
Ｇ　前記演出装置制御手段は、前記エラー報知手段によって前記第一エラーが報知されることに基づいて、前記複数の演出装置のうち前記第一エラーの報知に用いられていない少なくとも１つの演出装置の所定の動作を消費電流が上限値を超えないように抑制すること
Ｈ　を特徴とする遊技機。」
（２）引用例
　原査定の拒絶の理由に引用文献１として引用され、本願出願前に電気通信回線を通じて公衆に利用可能となった特開２０１５−９７６８１号公報（以下「引用例」という。）には、次の事項が図とともに記載されている。
ア「【００１２】
　 ＜全体構成＞ 
　まず、図１を用いて、
パチンコ機１００
イ「【００２９】
　第１特図始動口２３０は、遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置２１２による特図変動遊技を開始する。なお、
第１特図始動口２３０に入球した球
【００３０】
　第２特図始動口２３２は、電動チューリップ（電チュー）と呼ばれ、第１特図始動口２３０の真下に１つだけ配設している。この第２特図始動口２３２は、左右に開閉自在な羽根部材２３２ａを備え、羽根部材２３２ａの閉鎖中は球の入球が不可能であり、普図変動遊技に当選し、普図表示装置２１０が当たり図柄を停止表示した場合に羽根部材２３２ａが所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、
第２特図始動口２３２に入球した球
ウ「【００４１】
　パチンコ機１００の制御部は、大別すると、遊技の中枢部分を制御する主制御部３００と、主制御部３００が送信するコマンド信号（以下、単に「コマンド」と呼ぶ）に応じて
主に演出の制御を行う第１副制御部４００と、第１副制御部４００より送信されたコマンドに基づいて各種機器を制御する第２副制御部５００
エ「【００５２】
　＜副制御部＞
　次に、パチンコ機１００の
第１副制御部４００
【００５３】
　また、基本回路４０２には、
スピーカ１２０
の制御を行う
装飾図柄表示装置２０８に画像を表示する
【００５４】
　次に、パチンコ機１００の
第２副制御部５００
【００５５】
　また、基本回路５０２には、
演出可動体２２４の駆動制御を行う
演出可動体２２４は、
扉側演出可動体と
を少なくとも含む
オ「【００８９】
　＜主制御部タイマ割込処理＞
　次に、図７を用いて、
主制御部３００
・・・
【００９９】
　また、ステップＳ２１７では、入賞受付処理を行う。この入賞受付処理では、第１特図始動口２３０、第２特図始動口２３２、普図始動口２２８および可変入賞口２３４への入賞があったか否かを判定する。ここでは、ステップＳ２０３における入賞判定パターン情報と一致するか否かの判定結果を用いて判定する。
第１特図始動口２３０へ入賞があった場合
第２特図始動口２３２へ入賞があった場合
・・・
【０１１７】
　ステップＳ２２５およびステップＳ２２７における特図状態更新処理が終了すると、今度は、特図１および特図２それぞれについての
特図関連抽選処理を行う
カ「【０１６９】
　
図１３（ａ）では、前面枠扉１０６が閉じた状態で、装飾図柄表示装置２０８において装飾図柄の変動表示が行われており、装飾図柄の変動表示中、すなわち特図の図柄変動表示中に、同図（ｂ）に示すように、扉側演出可動体２２４１が開くとともに、盤側演出可動体２２４２は装飾図柄表示装置２０８の前側に落下してくる。この同図（ｂ）に示すように演出可動体２２４が動作中に、同図（ｃ）に示すように前面枠扉１０６が開かれると、同図（ｄ）に示すように、遊技盤２００に設けられた盤側演出可動体２２４２は引き続き動作を続けるが、前面枠扉１０６に設けられた扉側演出可動体２２４１は初期位置に戻る
・・・
【０１７８】
　
図１５は、図１３に示すパチンコ機１００の第２変形例において前面枠扉１０６が開かれる様子を段階的に示す図である
【０１７９】
　
図１５に示すパチンコ機１００の前面枠扉１０６の正面視右上部には、上方に開く第一の扉側演出可動体２２４１ａが設けられ
キ「【０６３８】
　やがて下皿１２８が満タンになり、
下皿満タンエラー
第三のエラー
が発生し、
装飾図柄表示装置２０８には、エラー関連報知として球抜きを促す文字表示がなされている
ク「【０６６５】
　ここで、内枠１０４が開放され、
扉開放エラー（第一のエラー）が発生する
図６０（ｂ）に示す装飾図柄表示装置２０８では、
その表示画面には
第一のエラーに関する報知としての文字表示がなされ、スピーカー１２０からも第一のエラーに関する報知として、エラー発生報知の音声が出力されている
【０６６６】
　
図６０
（ｄ）に示すパチンコ機１００では、大当り遊技が開始される
この段階でも、
扉開放エラーは継続している
大当り遊技が開始されたことによって、扉側演出可動体２２４１による、演出データに従った可動体演出の動作期間になるが、ここでは、先に発生した第一のエラーが解消されていないことから、扉側演出可動体２２４１の、演出データに従った動作を、最初から禁止する
第１副制御部４００は、扉側演出可動体２２４１の、演出データに従った制御を開始しない
ケ「【図１３】
」
コ「【図１５】
」
サ「【図６０】
」
シ　【０１６９】には「図１３（ａ）では、前面枠扉１０６が閉じた状態で、装飾図柄表示装置２０８において装飾図柄の変動表示が行われており、装飾図柄の変動表示中、すなわち特図の図柄変動表示中に、同図（ｂ）に示すように、扉側演出可動体２２４１が開くとともに、盤側演出可動体２２４２は装飾図柄表示装置２０８の前側に落下してくる。この同図（ｂ）に示すように演出可動体２２４が動作中に、同図（ｃ）に示すように前面枠扉１０６が開かれると、同図（ｄ）に示すように、遊技盤２００に設けられた盤側演出可動体２２４２は引き続き動作を続けるが、前面枠扉１０６に設けられた扉側演出可動体２２４１は初期位置に戻る」と、【０１７８】には「図１５は、図１３に示すパチンコ機１００の第２変形例において前面枠扉１０６が開かれる様子を段階的に示す図である」と、【０１７９】には「図１５に示すパチンコ機１００の前面枠扉１０６の正面視右上部には、上方に開く第一の扉側演出可動体２２４１ａが設けられ」と、それぞれ、記載されている。
　図１３（ａ）〜（ｄ）に関する上記【０１６９】の記載、図１５（ａ）〜（ｄ）の記載からみて、図１５（ａ）〜（ｄ）に記載されたパチンコ機１００も、「装飾図柄表示装置２０８において装飾図柄の変動表示中」であることは明らかである。
　よって、引用例には、「第一の扉側演出可動体２２４１ａは、装飾図柄表示装置２０８において装飾図柄の変動表示中に、上方に開く」ことが示されていると認められる。
ス　【０６６５】には、「図６０（ｂ）に示す装飾図柄表示装置２０８では、」「その表示画面には、」「第一のエラーに関する報知としての文字表示がなされ、スピーカー１２０からも第一のエラーに関する報知として、エラー発生報知の音声が出力されている」と記載され、図６０（ｂ）には、装飾図柄表示装置２０８の表示画面に「扉開放エラー！」の文字が表示されるとともに、スピーカ１２０から「扉が開いています」という音声が出力されることが示されている。
　また、【０６６６】には「図６０」「（ｄ）に示すパチンコ機１００では、大当り遊技が開始される。この段階でも」「扉開放エラーは継続している」と記載され、図６０（ｄ）には、装飾図柄表示装置２０８の表示画面に、パンダの絵と「大当り中　１Ｒ」の文字が表示されるとともに、図６０（ｂ）と同様に「扉開放エラー！」の文字が表示され、スピーカから「扉が開いています」という音声が出力されていることが示されている。
　さらに、図６０（ｂ）〜（ｄ）には、装飾図柄表示装置２０８の表示画面に「扉開放エラー！」の文字が継続して表示され、スピーカ１２０から「扉が開いています」という音声が継続して出力されていることが示されている。
　よって、引用例には、「扉開放エラーが継続している段階で、大当り遊技が開始されると、装飾図柄表示装置２０８の表示画面に、パンダの絵と「大当り中　１Ｒ」の文字が表示されるとともに、第一のエラーに関する報知として装飾図柄表示装置２０８の表示画面に「扉開放エラー！」の文字が継続して表示され、スピーカ１２０から「扉が開いています」という音声が継続して出力される」ことが示されていると認められる。
セ　上記アないしスからみて、引用例には、次の発明（以下「引用発明」という。）が記載されている。
「　球が入球する第１特図始動口２３０及び第２特図始動口２３２と（【００２９】、【００３０】）、
　装飾図柄表示装置２０８、スピーカ１２０、第一の扉側演出可動体２２４１ａを備え（【００５３】、【０１７９】）、
　第一の扉側演出可動体２２４１ａは、装飾図柄表示装置２０８において装飾図柄の変動表示中に、上方に開くものであり（認定事項シ）、
　扉開放エラー（第一のエラー）が発生すると、装飾図柄表示装置２０８の表示画面に、第一のエラーに関する報知としての文字表示がなされ、スピーカー１２０からも第一のエラーに関する報知として、エラー発生報知の音声が出力され（【０６６５】）、
　下皿満タンエラー（第三のエラー）が発生すると、装飾図柄表示装置２０８に、エラー関連報知として球抜きを促す文字表示がなされ（【０６３８】）、
　主制御部３００は、第１特図始動口２３０または第２特図始動口２３２に入賞があった場合、特図関連抽選処理を行い（【００８９】、【００９９】、【０１１７】）、
　主に演出の制御を行う第１副制御部４００は、スピーカ１２０、装飾図柄表示装置２０８の制御を行い（【００４１】、【００５２】、【００５３】）、
　第１副制御部４００より送信されたコマンドに基づいて各種機器を制御する第２副制御部５００は、扉側演出可動体２２４１の駆動制御を行う（【００４１】、【００５４】、【００５５】）
　パチンコ機１００であって（【００１２】）、
　第１副制御部４００は、扉開放エラー（第一のエラー）が発生し、装飾図柄表示装置２０８の表示画面に、第一のエラーに関する報知としての文字表示がなされ、スピーカ１２０からも第一のエラーに関する報知として、エラー発生報知の音声が出力され、扉開放エラーが継続している段階で、大当り遊技が開始されると、装飾図柄表示装置２０８の表示画面に、パンダの絵と「大当り中　１Ｒ」の文字が表示されるとともに、第一のエラーに関する報知として装飾図柄表示装置２０８の表示画面に「扉開放エラー！」の文字が継続して表示され、スピーカ１２０から「扉が開いています」という音声が継続して出力され、大当り遊技が開始されたことによって、扉側演出可動体２２４１による、演出データに従った可動体演出の動作期間になるが、先に発生した第一のエラーが解消されていないことから、扉側演出可動体２２４１の、演出データに従った動作を、最初から禁止する（【０６６５】、【０６６６】、認定事項ス）
　パチンコ機１００（【００１２】）。」
（３）対比
ア　本願補正発明と引用発明とを対比する。なお、以下の見出し（ａ）ないし（ｈ）は、本願補正発明のＡないしＨに対応させている。
（ａ）引用発明の「球が入球する第１特図始動口２３０及び第２特図始動口２３２」は、本願補正発明の「遊技球が入賞可能な入賞口」に相当する。
　よって、引用発明は、本願補正発明の構成Ａを備える。
（ｂ）引用発明の「第１特図始動口２３０または第２特図始動口２３２に入賞があった場合、」「行う」「特図関連抽選」が、「遊技者に有利な状態へ移行するか否かの抽選」であることは当業者にとって自明であるから、引用発明の「主制御部３００」は、本願補正発明の「抽選手段」の機能を備える。
　よって、引用発明は、本願補正発明の構成Ｂを備える。
（ｃ）引用発明の「装飾図柄表示装置２０８に」おける「装飾図柄の変動表示」は、本願補正発明の「前記抽選手段による抽選の結果を報知するための演出」に相当するから、引用発明の「装飾図柄の変動表示」を表示する「装飾図柄表示装置２０８」及び「装飾図柄の変動表示中に、上方に開く」「第一の扉側演出可動体２２４１ａ」は、本願補正発明の「前記抽選手段による抽選結果を報知するための演出における規定の動作を行う複数の演出装置」に相当する。
　また、抽選の結果を報知するための演出において、音声を出力することは自明であるから、引用発明の「スピーカ」も、本願補正発明の「複数の演出装置」の一つに相当する。
　よって、引用発明は、本願補正発明の構成Ｃを備える。
（ｄ）引用発明の「スピーカ１２０、装飾図柄表示装置２０８の制御を行」う「第１副制御部４００」及び「扉側演出可動体２２４１の駆動制御を行う」「第２副制御部５００」は、本願補正発明の「前記複数の演出装置の演出動作を制御する演出装置制御手段」の機能を備える。
　よって、引用発明は、本願補正発明の構成Ｄを備える。
（ｅ）引用発明は、「扉開放エラー（第一のエラー）が発生すると、装飾図柄表示装置２０８の表示画面に、第一のエラーに関する報知としての文字表示がなされ、スピーカ１２０からも第一のエラーに関する報知として、エラー発生報知の音声が出力され、下皿満タンエラー（第三のエラー）が発生すると、装飾図柄表示装置２０８に、エラー関連報知として球抜きを促す文字表示がなされ」るのであるから、本願補正発明の「エラー報知手段」に相当する構成を備えることは明らかである。
　よって、引用発明は、本願補正発明の構成Ｅを備える。
（ｆ）引用発明の「発生すると、装飾図柄表示装置２０８の表示画面に、第一のエラーに関する報知としての文字表示がなされ、スピーカ１２０からも第一のエラーに関する報知として、エラー発生報知の音声が出力され」る「扉開放エラー（第一のエラー）」は、本願補正発明の「２つ以上の前記演出装置を用いて報知される第一エラー」に、また、引用発明の「発生すると、装飾図柄表示装置２０８に、エラー関連報知として球抜きを促す文字表示がなされ」る「下皿満タンエラー（第三のエラー）」は、本願補正発明の「１つの前記演出装置を用いて報知される第二エラー」に、それぞれ、相当する。
　よって、引用発明は、本願補正発明の構成Ｆを備える。
（ｇ）上記（ｄ）より、引用発明の「第１副制御部４００」は、本願補正発明の「演出装置制御手段」の機能を備え、上記（ｆ）より、引用発明の「扉開放エラー（第一のエラー）」は、本願補正発明の「第一エラー」に相当する。
　引用発明は、「扉開放エラー（第一のエラー）が発生すると、装飾図柄表示装置２０８の表示画面に、第一のエラーに関する報知としての文字表示がなされ、スピーカ１２０からも第一のエラーに関する報知として、エラー発生報知の音声が出力され」るものであり、さらに、「扉開放エラーが継続している段階で、大当り遊技が開始されると、」「第一のエラーに関する報知として装飾図柄表示装置２０８の表示画面に「扉開放エラー！」の文字が継続して表示され、スピーカ１２０から「扉が開いています」という音声が継続して出力され」るが、「大当り遊技が開始されたことによって、扉側演出可動体２２４１による、演出データに従った可動体演出の動作期間になるが、先に発生した第一のエラーが解消されていないことから、扉側演出可動体２２４１の、演出データに従った動作を、最初から禁止」することから、引用発明の「扉側演出可動体２２４１」は、本願補正発明の「前記複数の演出装置のうち前記第一エラーの報知に用いられていない少なくとも１つの演出装置」に相当する。
　そうすると、引用発明の「扉側演出可動体２２４１の、演出データに従った動作を、最初から禁止する」ことは、本願補正発明の「少なくとも１つの演出装置の所定の動作を」「抑制する」ことに相当する。
　よって、引用発明は、本願補正発明の構成Ｇの「前記演出装置制御手段は、前記エラー報知手段によって前記第一エラーが報知されることに基づいて、前記複数の演出装置のうち前記第一エラーの報知に用いられていない少なくとも１つの演出装置の所定の動作を」「抑制する」点を備える。
（ｈ）引用発明の「パチンコ機１００」は、本願発明の「遊技機」に相当する。
　よって、引用発明は、本願補正発明の構成Ｈを備える。
イ　上記アからみて、本願補正発明と引用発明とは、
「Ａ　遊技球が入賞可能な入賞口と、
Ｂ　前記入賞口への遊技球の入賞に応じて、遊技者に有利な状態へ移行するか否かの抽選を行う抽選手段と、
Ｃ　前記抽選手段による抽選の結果を報知するための演出における既定の動作を行う複数の演出装置と、
Ｄ　前記複数の演出装置の演出動作を制御する演出装置制御手段と、
Ｅ　所定のエラーを報知するエラー報知手段と、
　を備え、
Ｆ　前記所定のエラーには、２つ以上の前記演出装置を用いて報知される第一エラーと、１つの前記演出装置を用いて報知される第二エラーとがあり、
Ｇ’前記演出装置制御手段は、前記エラー報知手段によって前記第一エラーが報知されることに基づいて、前記複数の演出装置のうち前記第一エラーの報知に用いられていない少なくとも１つの演出装置の所定の動作を抑制する
Ｈ　遊技機。」である点で一致し、次の点で一応相違する。
［相違点］（構成Ｇ）
　前記エラー報知手段によって前記第一エラーが報知されることに基づいて、
　本願補正発明の前記演出装置制御手段は、前記複数の演出装置のうち前記第一エラーの報知に用いられていない少なくとも１つの演出装置の所定の動作を消費電流が上限値を超えないように抑制するのに対し、
　引用発明の第１副制御部４００は、扉側演出可動体２２４１の、演出データに従った動作を、単に、最初から禁止するとしている点。
（４）判断
　上記相違点について検討する。
　「消費電流が上限値を超えないように抑制する」ことは、前記第２［理由］３（３）で指摘したとおり、実際の遊技機の消費電流が所定の上限値を必ず超えないようにする構成を含むと解釈できるほかに、当初明細書等の【０３７０】、【０４７７】の記載から、エラー報知演出の実行時において、複数の演出装置のうち少なくとも１つの演出装置の動作を抑制する（ボタン振動演出の実行を禁止する）ことで、消費電流の増大を防止して消費電流が上限値を超えることを回避して、電気的に駆動する部材の可動不良や電源断が生じるおそれを低減する構成を含むと解釈することもできる。
　この構成は、実際の遊技機の消費電流が所定の上限値を必ず超えないように、エラー報知されるときに必要となる消費電流の合計値と所定の電流値を比較することなく、単に、複数の演出装置のうち少なくとも１つの演出装置の動作を抑制することにより、消費電流の増大を防止して消費電流が上限値を超えることを回避して、電気的に駆動する部材の可動不良や電源断が生じるおそれを低減する（消費電流が上限値を超えることを確実に回避して、電気的に駆動する部材の可動不良や電源断が生じることを確実に防ぐわけではない。）ものである。
　すなわち、「消費電流が上限値を超えないように抑制する」ことは、単に、複数の演出装置のうち少なくとも１つの演出装置の動作を抑制することを特定した構成も含むと認められる。
　すると、引用発明の「扉側演出可動体２２４１の、演出データに従った動作を、最初から禁止する」ことは、本願補正発明の「演出装置の所定の動作を消費電流が上限値を超えないように抑制する」ことに相当する。
　よって、上記相違点は実質的な相違点とはいえず、本願補正発明は、引用発明である。
（５）　審判請求人の主張について
ア　審判請求人は、審判請求書において、
「（２）本願発明と引用発明との対比
　補正後の本願請求項１に係る発明は「前記演出装置制御手段は、前記エラー報知手段によって前記第一エラーが報知されることに基づいて、前記複数の演出装置のうち前記第一エラーの報知に用いられていない少なくとも１つの演出装置の所定の動作を消費電流が上限値を超えないように抑制する」という特徴的構成を有しております。
　上記特徴的構成を有することにより、補正後の本願請求項１に係る発明は、「消費電流の増大を防止して消費電流が上限値を超えることを回避して、電気的に駆動する部材の可動不良や電源断が生じるおそれを低減しながら適切なエラー報知を行うことができる」（同明細書段落［０４７７］）という効果を奏します。すなわち、補正後の本願請求項１に係る発明は、「電流不足による不具合の発生を防ぎながらも適切なエラー報知を行う」（同明細書段落［０００５］）という
本願の課題を解決することができます。
・・・
　引用文献１における上記構成は、「遊技者が接触可能な位置に可動体が設けられる場合においては、遊技者の安全等を考慮する必要」がある（段落[０００６]）との観点によるものです。つまり、引用文献１に記載された発明においては、遊技者の安全を担保するために演出可動体の動作を規制するのであって、本願請求項１に係る発明のように「消費電流が上限値を超えないように」規制するのではありません。このように、引用文献１に記載された発明には電流不足を回避するという観点はありません。」
と、概略主張している。
イ　請求人は、「消費電流が上限値を超えないように」が、所定の上限値を必ず超えないようにするものであることを前提としていると思われるが、前記（４）で検討したとおり、本願補正発明は、消費電流が上限値を必ず超えないようにするものに限定されないから、請求人の主張は、その前提において誤っており、失当であるというほかない。
　なお、引用発明の「扉側演出可動体２２４１の、演出データに従った動作を、最初から禁止する」ことにより、「扉開放エラーが継続している」ときに、消費電流の増大を防止して、電気的に駆動する部材の可動不良や電源断が生じるおそれを低減できることは明らかであるから、この点からも本願補正発明と相違するものではない。
（６）独立特許要件のむすび
　以上のとおりであるから、本願補正発明は、引用発明である。
　よって、本願補正発明は、特許法第２９条第１項第３号の規定により特許出願の際、独立して特許を受けることができないものである。
６　小括
　本件補正は、上記３のとおり、特許法第１７条の２第３項の規定に違反するものであるから、同法第１５９条第１項において読み替えて準用する同法第５３条第１項の規定により却下すべきものである。
　また、本願補正発明は、上記５のとおり、特許出願の際独立して特許を受けることができないものであるから、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記第２のとおり却下されたので、本願の請求項に係る発明は、令和１年７月２６日付けで補正された特許請求の範囲の請求項１ないし２に記載された事項によって特定されるものであるところ、その請求項１に係る発明（以下「本願発明」という。）は、その請求項１に記載された事項により特定される、上記第２［理由］１（１）に本件補正前の請求項１として記載したとおりのものである。
２　原査定の拒絶の理由
　原査定の拒絶の理由は、この出願の請求項１に係る発明は、その出願前に日本国内又は外国において頒布され又は電気通信回線を通じて公衆に利用可能となった下記引用文献に記載された発明であるから、特許法第２９条第１項第３号に該当し、特許を受けることができない。
　　　　　　　　　　　　　　　　　　　記
引用文献１．特開２０１５−９７６８１号公報
３　引用文献
　引用文献１（引用例）の記載事項は、上記第２［理由］５（２）に記載したとおりである。
４　対比・判断
　本願発明は、上記第２［理由］５で検討した本願補正発明から、形式的な相違点である「消費電流が上限値を超えないように」に係る限定事項を削除したものである。
　そうすると、本願発明の発明特定事項を全て含み、さらに他の事項を付加したものに相当する本願補正発明が、上記第２［理由］５（３）、（４）に記載したとおり、引用発明であるから、本願発明も、引用発明である。
　　　
第４　むすび
　以上のとおり、本願発明は、特許法第２９条第１項第３号に該当し、特許を受けることができないから、他の請求項に係る発明について検討するまでもなく、本願は拒絶されるべきものである。
　よって、結論のとおり審決する。